(57)【要約】メディアファイルのデータベース管理方法及びシステムを提供する。メディアファイルを検索する第１段階と、前記検索されたメディアファイルのメタデータに基づいて種類別にファイルディレクトリを生成する第２段階と、前記生成されたファイルディレクトリに前記検索されたメディアアファイルに対するリンクファイルを生成する第３段階と、を含んで行われることを特徴とするメディアファイルのデータベース管理方法である。また、メディアファイルを検索する検索手段と、検索されたメディアファイルと前記メディアファイルのメタデータを保存する保存手段と、前記検索されたメディアファイルのメタデータに基づいて種類別にファイルディレクトリを生成するように制御する制御手段と、前記生成されたファイルディレクトリに前記検索されたメディアファイルをコピーするコピー手段と、前記コピーされたメディアファイルと、前記メディアファイルよりなるディレクトリをディスプレイする表示手段と、を含む。
2006510997.tif 000002
【特許請求の範囲】
【請求項１】
メディアファイルを検索する第１段階と、
前記検索されたメディアファイルのメタデータに基づいて種類別にファイルディレクトリを生成する第２段階と、
前記生成されたファイルディレクトリに前記検索されたメディアアファイルに対するリンクファイルを生成する第３段階と、を含んで行われることを特徴とするメディアファイルのデータベース管理方法。
【請求項２】
メディアファイルを検索する第１段階と、
前記検索されたメディアファイルのメタデータに基づいて種類別にファイルディレクトリを生成する第２段階と、
前記生成されたファイルディレクトリに前記検索されたメディアファイルをコピーして生成する第３段階と、を含んで行われることを特徴とするメディアファイルのデータベース管理方法。
【請求項３】
前記第１段階は、メディアファイル管理プログラムを実行することによって前記メディアファイルを検索する段階であることを特徴とする請求項１または２に記載のメディアファイルのデータベース管理方法。
【請求項４】
前記第１段階は、前記メディアファイルの検索範囲を指定する段階と、前記指定された範囲に基づいてメディアファイルを検索する段階と、を含むことを特徴とする請求項３に記載のメディアファイルのデータベース管理方法。
【請求項５】
前記第１段階は、前記メディアファイル管理プログラムにより自動設定された範囲内で前記メディアファイルを検索する段階であることを特徴とする請求項３に記載のメディアファイルのデータベース管理方法。
【請求項６】
前記第２段階は、ユーザが設定したクライテリアと、前記クライテリアに相応するメタデータによって前記ファイルディレクトリを生成する段階であることを特徴とする請求項１または２に記載のメディアファイルのデータベース管理方法。
【請求項７】
前記第２段階は、前記生成されたファイルディレクトリの構造をユーザの選択によって編集する段階をさらに含むことを特徴とする請求項６に記載のメディアファイルのデータベース管理方法。
【請求項８】
前記第２段階は、ユーザが設定したクライテリアによって前記ファイルディレクトリを生成し、前記クライテリアの下位ディレクトリは前記クライテリアに該当するメタデータを自動で分類して種類別に前記ファイルディレクトリを生成する段階であることを特徴とする請求項１または２に記載のメディアファイルのデータベース管理方法。
【請求項９】
一定の期間毎に自動で前記第１段階、前記第２段階及び前記第３段階を経て前記リンクファイルをアップデートする第４段階をさらに含むことを特徴とする請求項１に記載のメディアファイルのデータベース管理方法。
【請求項１０】
メディアファイルの追加や削除が起こる場合、自動で前記第１段階、前記第２段階及び前記第３段階を経て前記リンクファイルをアップデートする第４段階をさらに含むことを特徴とする請求項１に記載のメディアファイルのデータベース管理方法。
【請求項１１】
前記第１段階は、第１保存媒体に保存されたメディアファイルを検索する段階であり、前記第２段階は、第２保存媒体にファイルディレクトリを生成する段階であり、前記第３段階は、前記第２保存媒体に前記メディアファイルに対するリンクファイルを生成する段階であることを特徴とする請求項１に記載のメディアファイルのデータベース管理方法。
【請求項１２】
一定の期間毎に自動で前記第１段階、前記第２段階及び前記第３段階を経て前記コピーされたメディアファイルをアップデートする第４段階をさらに含むことを特徴とする請求項２に記載のメディアファイルのデータベース管理方法。
【請求項１３】
メディアファイルの追加や削除が起こる場合、自動で前記第１段階、前記第２段階及び前記第３段階を経て前記コピーされたメディアファイルをアップデートする第４段階をさらに含むことを特徴とする請求項２に記載のメディアファイルのデータベース管理方法。
【請求項１４】
前記第１段階は、第１保存媒体に保存されたメディアファイルを検索する段階であり、前記第２段階は、第２保存媒体にファイルディレクトリを生成する段階であり、前記第３段階は、前記第２保存媒体に前記メディアファイルをコピーする段階であることを特徴とする請求項２に記載のメディアファイルのデータベース管理方法。
【請求項１５】
メディアファイルを検索する検索手段と、
検索されたメディアファイルと前記メディアファイルのメタデータとを保存する第１保存手段と、
前記検索されたメディアファイルのメタデータに基づいて種類別にファイルディレクトリを生成するように制御する制御手段と、
前記生成されたファイルディレクトリに前記検索されたメディアファイルに対するリンクファイルを生成する生成手段と、
前記生成されたリンクファイルと、前記リンクファイルよりなるディレクトリをディスプレイする表示手段と、を含むことを特徴とするメディアファイルのデータベース管理システム。
【請求項１６】
メディアファイルを検索する検索手段と、
検索されたメディアファイルと前記メディアファイルのメタデータを保存する第１保存手段と、
前記検索されたメディアファイルのメタデータに基づいて種類別にファイルディレクトリを生成するように制御する制御手段と、
前記生成されたファイルディレクトリに前記検索されたメディアファイルをコピーするコピー手段と、
前記コピーされたメディアファイルと、前記メディアファイルよりなるディレクトリをディスプレイする表示手段と、を含むことを特徴とするメディアファイルのデータベース管理システム。
【請求項１７】
前記検索手段は、メディアファイル管理プログラムを実行することによって前記メディアファイルを検索することを特徴とする請求項１５または１６に記載のメディアファイルのデータベース管理システム。
【請求項１８】
前記検索手段は、前記メディアファイルの検索範囲を指定した後、前記指定された範囲に基づいてメディアファイルを検索することを特徴とする請求項１７に記載のメディアファイルのデータベース管理システム。
【請求項１９】
前記検索手段は、前記メディアファイル管理プログラムにより自動設定された範囲内で前記メディアファイルを検索することを特徴とする請求項１７に記載のメディアファイルのデータベース管理システム。
【請求項２０】
前記制御手段は、ユーザが設定したクライテリアと前記クライテリアに相応するメタデータによって前記ファイルディレクトリを生成するように制御することを特徴とする請求項１５または１６に記載のメディアファイルのデータベース管理システム。
【請求項２１】
前記制御手段は、前記生成されたファイルディレクトリの構造をユーザの選択によって編集する機能をさらに含むことを特徴とする請求項２０に記載のメディアファイルのデータベース管理システム。
【請求項２２】
前記制御手段は、ユーザが設定したクライテリアによって前記ファイルディレクトリを生成し、前記クライテリアに該当するメタデータを自動で分類して種類別に前記クライテリアの下位ディレクトリを生成する手段であることを特徴とする請求項１５または１６に記載のメディアファイルのデータベース管理システム。
【請求項２３】
一定の期間毎に自動でメディアファイルのデータベースをアップデートするようにアップデート手段をさらに含むことを特徴とする請求項１５または１６に記載のメディアファイルのデータベース管理システム。
【請求項２４】
メディアファイルが生成あるいは削除される度にメディアファイルのデータベースをアップデートするようにアップデート手段をさらに含むことを特徴とする請求項１５または１６に記載のメディアファイルのデータベース管理システム。
【請求項２５】
前記制御手段は、前記第２保存媒体に前記ファイルディレクトリを生成することを特徴とし、前記コピー手段は、前記第２保存媒体に前記リンクファイルを生成することを特徴とする請求項１５に記載のメディアファイルのデータベース管理システム。
【請求項２６】
前記制御手段は、前記第２保存媒体に前記ファイルディレクトリを生成することを特徴とし、前記コピー手段は、前記第２保存媒体に前記コピーされたメディアファイルを生成することを特徴とする請求項１６に記載のメディアファイルのデータベース管理システム。
【請求項２７】
前記メディアファイルデータベースは、ウィンドウズ(登録商標)探索器を通じて管理され、再生されることを特徴とする請求項１または２に記載のメディアファイルのデータベース管理方法。
【請求項２８】
前記メディアファイルデータベースは、ウィンドウズ(登録商標)探索器を通じて管理され、再生されることを特徴とする請求項１５または１６に記載のメディアファイルのデータベース管理システム。
【発明の詳細な説明】
【技術分野】
【０００１】
本発明はメディアファイルのデータベース管理方法及びそのシステムに係り、より詳細には、メディアファイルの区分された内容をユーザがさらに容易に管理するために指定されたフォルダ位置の下部構造にメディアファイル管理プログラムの構成内容と同じ形態を有したフォルダとリンクファイルとで構成することによって、メディアファイルを容易に管理／再生できるメディアファイルのデータベース管理方法及びシステムに関する。
【背景技術】
【０００２】
メディアファイルを管理するために各ファイルを効率よくリンクする技術は、特許文献１及び特許文献２に開示されている。その中、特許文献１は、ツリー構造の上位ノードから新たに生じた下位ツリーウィンドウの仮想ルートノードまで視覚的リンクを添加した状態で多段ウィンドウで画面に示す方法に関する発明である。また、特許文献３、特許文献４、特許文献５及び特許文献６は、別途のメディアファイル管理ツールを通じてマイクロソフトウィンドウズ(登録商標)探索器での基本機能及び付加機能を有するプログラムについて説明している。その中、特許文献３は、メディアファイルからユーザの所望の曲のディレクトリ位置や題目などを容易に探し、管理するためにウィンドウズ(登録商標)探索器と類似した環境で機能するように製作されたデータベース管理ツールに関する発明である。しかし、上の発明はメディアファイルの指定されたフォルダとリンクファイルとが物理的に生成されたものではない。
【０００３】
一方、図１は従来の技術によるメディアファイル管理プログラムの実行を示す参考図である。図１は、一般に多用されるマイクロソフトウィンドウズ(登録商標)メディアプレーヤのファイル管理プログラムである“メディアライブラリー”(MEDIA LIBRARY)を示している。左側ウィンドウズ(登録商標)は、ウィンドウズ(登録商標)探索器と同様に最上位ディレクトリである‘メディアライブラリー’(MEDIA LIBRARY)の下部に‘オーディオ’(AUDIO)、‘ビデオ’(VIDEO)、‘私の財産目録’(MY PLAY LIST)ディレクトリなどがツリー構造で形成されており、前記オーディオディレクトリの下部には‘全てのオーディオ’(ALL AUDIO)、‘アルバム’(ALBUM)、‘音楽家’(MUSICIAN)、‘ジャンル’(GENRE)ディレクトリが形成されており、ジャンルディレクトリの下部には‘Ｃｌａｓｓｉｃａｌ’、‘Ｂａｌｌａｄ’、‘Ｏｔｈｅｒ’、‘Ｐｏｐ’、‘Ｒ＆Ｂ’、‘Ｒｏｃｋ’、‘Ｖｏｃａｌ’などの最下位ディレクトリが順次に形成されている。右側ウィンドウズ(登録商標)には左側の‘Ｃｌａｓｓｉｃａｌ’ディレクトリ内のファイルがディスプレイされている。
【０００４】
一般にウィンドウズ(登録商標)メディアプレーヤの“メディアライブラリー”のようなメディアファイル管理プログラムはメディアファイルの位置経路情報を記録して管理する。しかし、ユーザがメディアファイルの位置経路情報を見たり、メディアファイルを再生するためには、その度に‘ウィンドウズ(登録商標)メディアプレーヤ’のようなアプリケーションをローディングした後、その内部のメディアファイル管理プログラムを実行してメディアファイルを検索して初めてウィンドウズ(登録商標)探索器からそのファイルを探して実行するという不便さが生じる。すなわち、このようなメディアファイルの管理プログラムは、ウィンドウズ(登録商標)メディアプレーヤのようなアプリケーション内でだけ管理形態として見られるので、管理しているメディアファイルの位置を探し出すためには該当アプリケーションを必ず実行せねばならない不便さがあった。
【０００５】
また、大部分のユーザはウィンドウズ(登録商標)探索器を多く使用しているので、ディレクトリ管理機能を支援しないメディアライブラリーのようなプログラム内でのメディアファイル管理方式には慣れていない問題点があった。
【特許文献１】韓国公開特許２００１−００２０８９６号公報
【特許文献２】特開２０００−９９３４１号公報
【特許文献３】韓国公開特許２００１−００１９４４４号公報
【特許文献４】特開１９９８−２８３２３５号公報
【特許文献５】米国特許第６３５６９７１号公報
【特許文献６】ヨーロッパ特許第１２５３５２９号公報
【発明の開示】
【発明が解決しようとする課題】
【０００６】
本発明は前記問題点を解決するために案出されたものであって、本発明の目的は、メディアファイルの区分された内容をユーザがさらに容易に管理可能に、指定されたディレクトリ位置の下部構造にメディアファイル管理プログラムの構造と同じ形にリンクファイルとフォルダとを形成することによって、ユーザがメディアファイルを容易に探すか、再生できるメディアファイルのデータベース管理方法及びシステムを提供するところにある。
【０００７】
本発明の他の目的は、外部へのメディアファイルのコピーなどの理由でリンクファイルでない実際のファイルを指定されたフォルダのファイルディレクトリにコピーすることによって、ユーザがメディアファイルを容易に探すか、再生可能にするメディアファイルのデータベース管理方法及びシステムを提供するところにある。
【課題を解決するための手段】
【０００８】
前述した目的を達成するための本発明に係るメディアファイルのデータベース管理方法は、メディアファイルを検索する第１段階と、前記検索されたメディアファイルのメタデータに基づいて種類別にファイルディレクトリを生成する第２段階と、前記生成されたファイルディレクトリに前記検索されたメディアアファイルに対するリンクファイルを生成する第３段階と、を含んで行われることを特徴とする。
【０００９】
また、本発明に係るメディアファイルのデータベース管理方法は、メディアファイルを検索する第１段階と、前記検索されたメディアファイルのメタデータに基づいて種類別にファイルディレクトリを生成する第２段階と、前記生成されたファイルディレクトリに前記検索されたメディアファイルをコピーして生成する第３段階と、を含んで行われることを特徴とする。
【００１０】
一方、前記目的を達成するための本発明のメディアファイルデータベース管理システムは、メディアファイルを検索する検索手段と、検索されたメディアファイルと、前記メディアファイルのメタデータを保存する保存手段と、前記検索されたメディアファイルのメタデータに基づいて種類別にファイルディレクトリを生成するように制御する制御手段と、前記生成されたファイルディレクトリに前記検索されたメディアファイルをコピーするコピー手段と、前記コピーされたメディアファイルと、前記コピーされたメディアファイルよりなるディレクトリをディスプレイする表示手段と、を含むことを特徴とする。
【発明の効果】
【００１１】
本発明によれば、ユーザのメディアファイルへの容易な接近を可能にするためにメディアファイル管理プログラムのツリー構造と同一であり、リンクファイルとリンクファイルで構成されたディレクトリで作られたツリー構造上の指定されたフォルダにメディアファイルの分類情報を配列することによって、ユーザは何時でもウィンドウズ(登録商標)探索器のようなプログラムを用いてメディアファイルを容易に探すか、再生できる。また、ユーザが外部の別途の保存媒体にメディアファイルのコピーなどの理由によってリンクファイルでない実際のファイルを指定されたフォルダ下のファイルディレクトリにコピーすることもできる。
【００１２】
そして、ユーザが入力した情報によってファイルディレクトリを編集でき、ファイルの追加や削除時にはファイルディレクトリに生成されたファイルをアップデートできるので、ユーザはファイルディレクトリとメディアファイルとを容易に管理しうる。
【発明を実施するための最良の形態】
【００１３】
以下、本発明の実施例に係るＡＶストリームデータのコピー防止システム及び方法について添付した図面に基づいて詳細に説明する。図２は、本発明に係るメディアファイルのデータベース管理方法の望ましい第１実施例を行うためのフローチャートである。図３は、本発明に係るメディアファイルのデータベース管理方法の望ましい第２実施例を行うためのフローチャートである。図４は、本発明に係るメディアファイルのデータベース管理システムのブロック構成図である。
【００１４】
図４を参照すれば、本発明に係るメディアファイルのデータベース管理システムは、メディアファイルを検索する検索手段４０２、前記検索されたメディアファイルと、前記メディアファイルのメタデータを保存する保存手段４０４、前記検索されたメディアファイルのメタデータに基づいて種類別にファイルディレクトリを生成するように制御する制御手段４００、前記生成されたファイルディレクトリに前記検索されたメディアファイルに対するリンクファイルを生成する生成手段４０６、及び前記生成されたリンクファイルと、リンクファイルよりなるディレクトリとをディスプレイする表示手段４０８を含んで構成されうる。
【００１５】
以下、図２、図３及び図４を参照してデータベース管理方法に関する２つの実施例を説明する。まず、本発明を実施するためにはユーザが管理しようとするメディアアファイルが如何なる種類のアファイルであるか、または如何なる位置経路を有するものであるかに関する情報を得るためにそのメディアファイルを検索せねばならない（Ｓ２０２、Ｓ３０２）。このような機能は制御手段４００の制御下で検索手段４０２によって行われる。ｍｐ３のように比較的小容量のメディアファイルは存在する位置が他のメディアファイルと相異なりうるので、ユーザがいちいち検索するよりは前記検索手段４０２によりメディアファイル管理プログラムを実行して前記メディアファイルを検索することによって、メディアアファイルに対するデータベースが形成可能になる。また、前記検索手段４０２はユーザが指定した範囲内で検索でき、メディアファイル管理プログラムにより自動で設定された範囲内でも検索できる。このように検索されたメディアファイルとそのファイルのメタデータは前記制御手段４００により保存手段４０４に保存される。
【００１６】
次いで、前記制御手段４００は前記保存手段４０４に保存されている検索されたメディアファイルのメタデータによってファイルディレクトリを生成する（Ｓ２０４、Ｓ３０４）。この際、前記制御手段４００は前記ファイルディレクトリを別途の保存媒体にも生成するように制御する機能を有しうることは言うまでもない。ここで、別途の保存媒体とは、ＣＤ、ＤＶＤなど名称如何を問わず、メディアファイルを保存できる全ての媒体を意味する。
【００１７】
メディアファイルのメタデータとは、そのメディアファイルに対する定義や説明を示すデータであって、検索されたメディアファイルの実際経路、ファイル名、ファイル種類、音楽家、アルバム、ジャンル、トラック番号などのタグ情報を意味する。ファイルディレクトリの生成は前記制御手段４００により行われる。この際、ユーザは前記メタデータのうちクライテリアを設定し、前記クライテリアに該当するメタデータによって前記ファイルディレクトリを生成しうる。例えば、後述する図６に示される各ディレクトリの名称こそそのようなクライテリアになりうる。
【００１８】
前記ファイルディレクトリが生成された後でユーザは生成されたファイルディレクトリのツリー構造を変更するか否かを判断する（Ｓ２０６、Ｓ３０６）。この際、ユーザは自分の選択によって前記制御手段４００によりファイルディレクトリのツリー構造を編集して変更できる（Ｓ２０８、Ｓ３０８）。
【００１９】
図６は、本発明によって生成されたファイルディレクトリの編集過程を示す参考図である。最上位ディレクトリである‘私のライブラリー’のコンテキストメニューのうち‘ビデオ’、‘オーディオ’、‘メディアアルバム’をクリックしてチェックし、‘イメージ’欄はチェックしないと、下位構造には上でチェックした３つのディレクトリだけ生成され、‘イメージ’ディレクトリは生成されない。この中、生成された‘ビデオ’ディレクトリのコンテキストメニューのうち‘あらゆるビデオ’、‘アルバム’、‘ジャンル’をクリックしてチェックした結果、チェックした３つのディレクトリが生成される。また、最上位ディレクトリである‘私のライブラリー’下で生成された‘オーディオ’ディレクトリのコンテキストメニューのうち‘全てのオーディオ’、‘アルバム’、‘ジャンル’欄をクリックしてチェックし、‘音楽家’欄にはチェックしないと、‘音楽家’ディレクトリを除き、残りの３つのディレクトリだけ生成される。また、‘ジャンル’ディレクトリのコンテキストメニューのうち‘ジャズ’欄を除外した残りの‘クラシック’、‘ポップ’、‘バラード’欄にクリックしたので、‘ジャズ’ディレクトリを除き、残りの‘クラシック’、‘ポップ’、‘バラード’ディレクトリだけ生成されることである。
【００２０】
前述した編集の過程を経て、または基本デフォルトとして、前記生成されたファイルディレクトリにメディアファイルに対するリンクファイルを作って生成する（Ｓ２１０）。このＳ２１０過程は、第１実施例の場合であって、前記制御手段４００の制御下で生成手段４０６により行われる。前述した編集過程を経てリンクファイルとリンクファイルで構成されたファイルディレクトリが生成された結果が図７に示されている。
【００２１】
図７は、本発明のメディアファイルのデータベース管理方法によって生成されたメディアファイルのディレクトリ構造を示す参考図である。図７を参照すれば、前記図６で説明した編集過程を経て生成されたファイルディレクトリのツリー構造を示している。図７に示されるファイルディレクトリは階層的構造を有しており、これはよく使用するウィンドウズ(登録商標)探索器の構造と同一なので、ウィンドウズ(登録商標)探索器内のフォルダ下で他のフォルダと同一に管理されうる。
【００２２】
かかる管理過程を示すのが図５に該当する。図５は、本発明に係るメディアファイルのデータベース管理方法の第１及び第２実施例を示す参考図である。図５の上段ウィンドウズ(登録商標)は既存のウィンドウズ(登録商標)メディアプレーヤのアプリケーションであり、下段ウィンドウズ(登録商標)は本発明によって生成されたメディアファイルのリンクファイルと、そのリンクファイルより構成されたディレクトリの形態が実際にウィンドウズ(登録商標)探索器内でどのように管理されているかに関する実施例を示している。このような機能は前記制御手段４００の制御下で表示手段４０８により行われる。図５の下段ウィンドウズ(登録商標)の左側部分は‘ＡＶ  Ｓｔａｔｉｏｎ’ディレクトリ下の‘私のライブラリー’(MY LIBRARY)ディレクトリ下の‘オーディオ’(AUDIO)ディレクトリ下の‘音楽家’(MUSICIAN)ディレクトリ下の‘グリーグ’(GRIEG)ディレクトリが選択された状態を示しており、右側部分は‘グリーグ’ディレクトリ下の３つのｍｐ３ファイルが表示されていることを示している。
【００２３】
一方、前記生成されたファイルディレクトリにメディアファイルのリンクファイルを作って生成する第１実施例（Ｓ２１０）の代わりに、第２実施例としてリンクファイルでない実際のメディアファイルを前記生成されたファイルディレクトリの下にコピーすることによって、そのコピーされたメディアファイルとそのコピーファイルで構成されたディレクトリを生成することもできる（Ｓ３１０）。また、別途の保存媒体（ＣＤ、ＤＶＤなどメディアファイルを保存できるあらゆる媒体を意味）に生成されたファイルディレクトリ内にリンクファイルでない実際のメディアファイルをコピーすることもできる。
【００２４】
前述したＳ２１０段階（第１実施例）またはＳ３１０段階（第２実施例）を経た後にも、ユーザは続けてメディアファイルを管理しつつメディアファイルの追加や削除を行うこともできる。すなわち、メディアファイルの追加や削除によって前記制御手段４００は前記リンクファイルまたはコピーされたメディアファイルとディレクトリとをアップデートする（Ｓ２１２、Ｓ３１２）。前記制御手段４００はこのようなアップデートの機能を行うように制御するが、ユーザの選択によって行われても良く、または一定の期間毎に自動でアップデートするように制御しても良い。
【００２５】
前述したように、ユーザは検索されたメディアファイルのメタデータによってファイルディレクトリを生成し、生成された前記ファイルディレクトリにリンクファイルを作って生成することによって、メディアファイルをウィンドウズ(登録商標)探索器または類似した他のプログラム内でも容易に管理／再生できる。別途の他の保存媒体へのファイルコピーなどの理由によって前記ディレクトリ位置にリンクファイルでない実際のファイルにコピーして生成することもできる。
【００２６】
前述した本発明の説明ではウィンドウズ(登録商標)探索器及びウィンドウズ(登録商標)メディアプレーヤを中心に説明したが、本発明はこれに限定されず、ウィンドウズ(登録商標)探索器及びウィンドウズ(登録商標)メディアプレーヤと類似した他のプログラムを通じても本発明を適用しうる。
【００２７】
以上、本発明について詳細に記述したが、本発明が属する技術分野で当業者ならば、特許請求の範囲に定義された本発明の精神及び範囲を外れずに本発明に対して多様な変形、追加または代替が可能であることを理解できるであろう。
【産業上の利用可能性】
【００２８】
本発明は、ウィンドウズ(登録商標)探索器及びウィンドウズ(登録商標)メディアプレーヤだけでなく、それと類似した他のプログラムにも適用しうる。
【図面の簡単な説明】
【００２９】
【図１】従来の技術によるメディアファイル管理プログラムの実行を示す参考図である。
【図２】本発明に係るメディアファイルのデータベース管理方法の望ましい第１実施例を行うためのフローチャートである。
【図３】本発明に係るメディアファイルのデータベース管理方法の望ましい第２実施例を行うためのフローチャートである。
【図４】本発明に係るメディアファイルのデータベース管理システムのブロック構成図である。
【図５】本発明に係るメディアファイルのデータベース管理方法の第１及び第２実施例を示す参考図である。
【図６】本発明によって生成されたファイルディレクトリの編集過程を示す参考図である。
【図７】本発明のメディアファイルのデータベース管理方法によって生成されたメディアファイルのディレクトリ構造を示す参考図である。
【符号の説明】
【００３０】
４００    制御手段
４０２    検索手段
４０４    保存手段
４０６    生成手段
４０８    表示手段
【図１】
2006510997.tif 000003
【図２】
2006510997.tif 000004
【図３】
2006510997.tif 000005
【図４】
2006510997.tif 000006
【図５】
2006510997.tif 000007
【図６】
2006510997.tif 000008
【図７】
2006510997.tif 000009
【国際調査報告】
2006510997.tif 000010